(57)【要約】【課題】浣腸容器の製造における作業効率を向上可能な構成を備えた浣腸容器を提供する。【解決手段】浣腸容器１１は、内部に浣腸液を貯蔵する容器本体１２と、容器本体１２から延びる挿入チューブ１４と、挿入チューブ１４の途中位置に配置され、使用時に挿入チューブ１４が体内に入り込む長さを調整するロート状のストッパ２１とを備える。ここで、ストッパ２１は、第一ストッパセグメント２２と、第二ストッパセグメント２３と、を有し、第一ストッパセグメント２２と第二ストッパセグメント２３とを、挿入チューブ１４の側方から当該挿入チューブ１４を挟み込むように互いに連結して構成される。【選択図】図１
0003167160.tif 000002
【実用新案登録請求の範囲】
【請求項１】
内部に浣腸液を貯蔵する容器本体と、
前記容器本体から延びる挿入チューブと、
前記挿入チューブの途中位置に配置され、使用時に前記挿入チューブが体内に入り込む長さを調整するロート状のストッパと、を備える浣腸容器であって、
前記ストッパは、
第一ストッパセグメントと、第二ストッパセグメントと、を有し、
前記第一ストッパセグメントと前記第二ストッパセグメントとを、前記挿入チューブの側方から当該挿入チューブを挟み込むように互いに連結して構成される、浣腸容器。
【請求項２】
前記ストッパは、前記第一ストッパセグメントと前記第二ストッパセグメントとを互いに連結させる連結部を有し、
前記第一ストッパセグメントは、
前記前記第二ストッパセグメントとの当接面である第一当接面と、
前記第一当接面から内方へ凹むように設けられ、その内部に前記挿入チューブを受け入れる第一チューブ受け入れ凹部と、を含み、
前記第二ストッパセグメントは、
前記第一ストッパセグメントとの当接面である第二当接面と、
前記第二当接面から内方へ凹むように設けられ、その内部に前記挿入チューブを受け入れる第二チューブ受け入れ凹部と、を含み、
前記連結部は、
前記第一当接面または前記第二当接面のいずれか一方に設けられ、当該当接面から外方へ突出する係合凸部と、
残る他方の当接面に設けられ、前記係合凸部を内部に受け入れて当該係合凸部と係合する係合凹部と、から構成される、請求項１に記載の浣腸容器。
【請求項３】
前記連結部は、前記ストッパに挟み込まれた前記挿入チューブの両側方に設けられている、請求項２に記載の浣腸容器。
【請求項４】
前記挿入チューブの両側方において、当該挿入チューブの軸方向に離隔する二つの前記連結部が、それぞれ設けられている、請求項３に記載の浣腸容器。
【請求項５】
前記挿入チューブの一方側方に設けられている二つの前記連結部のうち、軸方向一方側に位置する前記連結部、および、前記挿入チューブの他方側方に設けられている二つの前記連結部のうち、軸方向他方側に位置する前記連結部は、
前記第一当接面に設けられた前記係合凹部と、
前記第二当接面に設けられた前記係合凸部と、によって構成され、且つ、
前記挿入チューブの一方側方に設けられている二つの前記連結部のうち、軸方向他方側に位置する前記連結部、および、前記挿入チューブの他方側方に設けられている二つの前記連結部のうち、軸方向一方側に位置する前記連結部は、
前記第一当接面に設けられた前記係合凸部と、
前記第二当接面に設けられた前記係合凹部と、によって構成される、請求項４に記載の浣腸容器。
【請求項６】
前記第一および第二ストッパセグメントは、同一形状を有する、請求項３〜５のいずれかに記載の浣腸容器。
【考案の詳細な説明】
【技術分野】
【０００１】
本考案は、浣腸容器に関するものであって、特に、体内への挿入深さを適正に調整するためのストッパを備える浣腸容器に関するものである。
【背景技術】
【０００２】
浣腸容器の使用に際しては、浣腸容器の挿入チューブが、肛門から体内に適正な長さだけ挿入されることが望ましい。このような適正な使用を補助するために、挿入深さを調整可能なストッパを有する浣腸容器が、従来から知られている。このような浣腸容器が、例えば実開昭６１−８００４８号公報（特許文献１）に、開示されている。
【先行技術文献】
【特許文献】
【０００３】
【特許文献１】実開昭６１−８００４８号公報
【考案の概要】
【考案が解決しようとする課題】
【０００４】
特許文献１に記載の浣腸容器は、容器本体と、容器本体から延びる挿入チューブと、当該挿入チューブの下流側開口端に圧入され、内部に逆流防止弁を有する注入ノズルと、挿入チューブに摺動可能に嵌着されたロート状のストッパとを備える。この構成によれば、ストッパが挿入チューブに沿って摺動可能であるため、挿入チューブが体内に挿入される長さを、用途に応じて適宜調整することができるとしている。しかしながら、特許文献１に記載の浣腸容器は、製造過程において以下に示す課題が生じていた。
【０００５】
特許文献１に記載の浣腸容器の製造工程としては、まず、一体環状部材であるストッパを挿入チューブに嵌め入れる工程を行い、その後に、挿入チューブの一方側開口端を容器本体に嵌着する工程、および挿入チューブの他方側開口端に注入ノズルを圧入する工程を行う必要がある。なぜならば、挿入チューブが容器本体に嵌着され、且つ挿入チューブに注入ノズルが嵌着された後の状態においては、容器本体および注入ノズルがあるために、一体環状部材であるストッパを、挿入チューブのいずれの端部からも嵌入することができなくなるからである。
【０００６】
したがって、特許文献１に記載の浣腸容器の製造においては、先に挿入チューブにストッパを嵌め入れ、ストッパが嵌入された状態で、挿入チューブに注入ノズルを圧入する、または挿入チューブを容器本体に圧入させる作業を行うこととなる。この場合、挿入チューブに嵌入されたストッパが、その後の作業の妨げとなる虞や、作業時に挿入チューブから脱落してしまう虞が生じる。このことが、浣腸容器製造の作業効率を低下させてしまう要因となっていた。
【０００７】
そこで、本考案の目的は、上記課題に鑑み、浣腸容器の製造における作業効率を向上させることができる浣腸容器を提供することである。
【課題を解決するための手段】
【０００８】
本考案に係る浣腸容器は、内部に浣腸液を貯蔵する容器本体と、容器本体から延びる挿入チューブと、挿入チューブの途中位置に配置され、使用時に挿入チューブが体内に入り込む長さを調整するロート状のストッパとを備える。ここで、ストッパは、第一ストッパセグメントと、第二ストッパセグメントと、を有し、第一ストッパセグメントと第二ストッパセグメントとを、挿入チューブの側方から当該挿入チューブを挟み込むように互いに連結して構成される。
【０００９】
この構成によれば、浣腸容器の製造において、ストッパ以外の構成部材を先に組み立て、その後の工程にてストッパを挿入チューブに取り付けることが可能となる。これにより、ストッパに係る作業上の不便をなくすことができるとともに、工程の最終段階にてストッパを容易に取り付け可能であることから、工程をよりスムーズに進行させることが可能となる。したがって、浣腸容器の製造における作業効率を向上させることができる。
【００１０】
好ましくは、ストッパは、第一ストッパセグメントと第二ストッパセグメントとを互いに連結させる連結部を有する。第一ストッパセグメントは、第二ストッパセグメントとの当接面である第一当接面と、第一当接面から内方へ凹むように設けられ、その内部に挿入チューブを受け入れる第一チューブ受け入れ凹部とを含む。第二ストッパセグメントは、第一ストッパセグメントとの当接面である第二当接面と、第二当接面から内方へ凹むように設けられ、その内部に挿入チューブを受け入れる第二チューブ受け入れ凹部とを含む。そして、連結部は、第一当接面または第二当接面のいずれか一方に設けられ、当該当接面から外方へ突出する係合凸部と、残る他方の当接面に設けられ、係合凸部を内部に受け入れて当該係合凸部と係合する係合凹部とから構成される。
【００１１】
この構成によれば、作業者は、係合凸部を係合凹部に嵌合させるだけで、ストッパセグメント同士を容易に連結することができる。したがって、ストッパをより容易に組み立てることが可能となるため、作業効率をさらに向上させることができる。
【００１２】
好ましくは、連結部は、ストッパに挟み込まれた挿入チューブの両側方に設けられている。
【００１３】
この構成によれば、第一ストッパセグメントと第二ストッパセグメントとによって挿入チューブを挟み込んで連結した場合に、ストッパセグメント同士が、挿入チューブの両側方に配置された連結部を介して互いに連結される。したがって、より安定して挿入チューブの挟み込み状態を維持することができる。すなわち、ストッパをより強固に構成することができる。
【００１４】
好ましくは、挿入チューブの両側方において、当該挿入チューブの軸方向に離隔する二つの連結部が、それぞれ設けられている。さらに好ましくは、挿入チューブの一方側方に設けられている二つの連結部のうち、軸方向一方側に位置する連結部、および、挿入チューブの他方側方に設けられている二つの連結部のうち、軸方向他方側に位置する連結部は、第一当接面に設けられた係合凹部と、第二当接面に設けられた係合凸部とによって構成される。且つ、挿入チューブの一方側方に設けられている二つの連結部のうち、軸方向他方側に位置する連結部、および、挿入チューブの他方側方に設けられている二つの連結部のうち、軸方向一方側に位置する連結部は、第一当接面に設けられた係合凸部と、第二当接面に設けられた係合凹部とによって構成される。さらに好ましくは、第一および第二ストッパセグメントは、同一形状を有する。
【００１５】
この構成によれば、第一ストッパセグメントと第二ストッパセグメントとを連結した場合に、ストッパセグメント同士が、挿入チューブの両側方にそれぞれ二つずつ設けられた連結部を介して互いに連結される。したがって、ストッパセグメント同士の連結をさらに安定させることができる。また、各ストッパセグメントを、一つの金型によって量産することができるため、浣腸容器の製造コストを低減することができる。
【考案の効果】
【００１６】
本考案によれば、浣腸容器の製造において、ストッパ以外の構成部材を先に組み立て、その後の工程にてストッパを挿入チューブに取り付けることが可能となる。これにより、ストッパに係る作業上の不便をなくすことができるとともに、工程の最終段階にてストッパを容易に取り付け可能であることから、工程をよりスムーズに進行させることが可能となる。したがって、浣腸容器の製造における作業効率を向上させることができる。
【図面の簡単な説明】
【００１７】
【図１】本考案の一実施形態に係る浣腸容器の正面図を示す。
【図２】本考案の一実施形態に係る浣腸容器を図１中の矢印IIからみた側面図を示す。
【図３】図１に示す浣腸容器の分解図を示す。
【図４】図３に示す第一（第二）ストッパセグメントの外観図であって、（ａ）は図３の方向から見た図を示し、（ｂ）は図４（ａ）中の矢印ｂから見た図を示し、（ｃ）は図４（ｂ）中の矢印ｃから見た図をそれぞれ示す。
【考案を実施するための形態】
【００１８】
以下、本考案の実施の形態を図面に基づき詳細に説明する。まず、図１〜図３を用いて、本考案の一実施形態に係る浣腸容器１１の構成について説明する。
【００１９】
図１〜図３を参照して、本実施形態に係る浣腸容器１１は、上部に円筒状の首部１２１が設けられ、その内部に浣腸液を貯蔵する容器本体１２と、容器本体１２の首部１２１に圧入嵌着される環状の本体キャップ１３と、一方側の開口端が、本体キャップ１３の上端部から突出するチューブ連結部１３１に圧入される筒状の挿入チューブ１４と、挿入チューブ１４の他方側開口端に嵌め入れられる注入ノズル１５と、挿入チューブ１４に摺動可能に取り付けられたロート状のストッパ２１とを備える。
【００２０】
容器本体１２は、蛇腹形状を有する樹脂製の容器であって、内部に浣腸液を貯蔵している。容器本体１２の上部には、浣腸液の流出口となる円筒状の首部１２１が形成されている。容器本体１２に形成されている蛇腹形状は、本体容器１２を、図２の紙面左右方向に伸縮可能とするように形成されている。すなわち、使用時においては、使用者は、容器本体１２を図２の紙面左右方向から把持し、これを握ることによって、浣腸溶液を首部１２１から流出させて用いる。
【００２１】
本体キャップ１３は、環状の本体部１３２と、本体部１３２の上端部から突出する環状のチューブ連結部１３１とから構成されている。チューブ連結部１３１は、本体部１３２の内部空間と連通するように設けられている。本体容器１２の首部１２１から流出した浣腸液は、本体部１３２およびチューブ連結部１３１を経て、挿入チューブ１４に流出する。本体部１３２の内部空間には、浣腸溶液が本体容器１２に向けて流れることを防止するための逆流防止弁１６が挿入されている。すなわち、この逆流防止弁１６は、本体容器１２から挿入チューブ１４に向かう流れのみを許容し、その逆の流れを規制するための部材である。これにより、使用時において浣腸液が逆流することが防止される。
【００２２】
挿入チューブ１４は、長尺な可撓性の筒状部材であって、一方側の開口端がチューブ連結部１３１に圧入されている。なお、図示していないが、この挿入チューブ１４には、ストッパ２１の位置決めをするため目盛が表示されていてもよい。これにより、使用時において、使用者は、肛門から体内に挿入される挿入チューブ１４の長さを適切に調整することができる。
【００２３】
注入ノズル１５は、樹脂からなる環状部材であって、挿入チューブ１４の他方側開口端に圧入されている。使用する際には、この注入ノズル１５が、最初に使用者の体内に挿入され、適切な深さまで挿入チューブ１４とともに押し入れられる。そして、本体容器１２から押し出された浣腸液が、本体キャップ１３および挿入チューブ１４を経て、注入ノズル１５から使用者の体内に注入される。したがって、快適性確保の観点から、注入ノズル１５の先端は、Ｒ状の滑らかな形状となっている。
【００２４】
ストッパ２１は、挿入チューブ１４に摺動可能に取り付けられており、使用時に肛門から体内に挿入される挿入チューブ１４の長さを調整することを可能とする部材である。
【００２５】
次に、本実施形態に係るストッパ２１の構成について、図３および図４を用いて説明する。
【００２６】
図３および図４を参照して、本実施形態に係るストッパ２１は、第一ストッパセグメント２２と、第二ストッパセグメント２３とを有し、第一ストッパセグメント２２と第二ストッパセグメント２３とを、挿入チューブ１４の側方から挿入チューブ１４を挟み込むように互いに連結して構成されている。
【００２７】
第一ストッパセグメント２２は、半円環状の部材であって、半円柱状の土台部２２１と、土台部２２１の上端から上方に延び、先端に向かうにつれて滑らかに縮径するように設けられたスカート部２２２とからなり、第二ストッパセグメント２３と当接する部分には、平面である第一当接面２２３が形成されている。第一当接面２２３の中央には、当該第一当接面２２３から内方に半円状に凹む第一チューブ受け入れ凹部２２４が、設けられている。第一チューブ受け入れ凹部２２４は、第一ストッパセグメント２２を上下方向に貫通するように軸線２４に沿って直線状に設けられている。挿入チューブ１４を挟み込むように第一および第二ストッパセグメント２２、２３を連結したときに、この第一チューブ受け入れ凹部２２４が挿入チューブ１４を内部に受け入れる。すなわち、軸線２４は、ストッパ２１が組み立てられた場合の挿入チューブ１４の軸線に相当する。
【００２８】
第一当接面２２３は、その中央を貫通する第一チューブ受け入れ凹部２２４によって、図４（ｂ）の紙面左右に分断されている。第一当接面２２３の左側領域においては、軸線方向上方側に、第一当接面２２３から内方に凹む係合凹部２２５が設けられ、軸線方向下方側に、第一当接面２２３から外方に突出する係合凸部２２６が設けられている。また、第一当接面２２３の右側領域においては、軸線方向上方側に係合凸部２２７が設けられ、軸線方向下方側に係合凹部２２８が設けられている。係合凹部２２５と係合凸部２２７、および、係合凸部２２６と係合凹部２２８は、互いに軸線２４に対して線対称となる位置に配置されている。また、係合凸部２２６、２２７は、先端に向かうにつれて拡径する形状を有しており、且つ、係合凹部２２５，２２８は、内方に向かうにつれて拡径する空洞を内部に形成している。
【００２９】
ここで、本実施形態に係るストッパ２１は、上記第一ストッパセグメント２２と、第一ストッパセグメント２２と同一形状を有する第二ストッパセグメント２３とによって構成されている。すなわち、第二ストッパセグメント２３は、図４に示す第一ストッパセグメント２２と同様の形状を有するものである。以下、図４を用いて、第二ストッパセグメント２３の構成について簡単に説明する。なお、図４中の括弧内に第二ストッパセグメント２３に対応する符号を示す。また、上記と重複する部分については、詳しい説明を省略する。
【００３０】
第二ストッパセグメント２３は、第一ストッパセグメント２２と同様に、土台部２３１およびスカート部２３２からなり、第一ストッパセグメント２２と当接する部分には、平面である第二当接面２３３が形成されている。第二当接面２３３の中央には、挿入チューブ１４を内部に受け入れる第二チューブ受け入れ凹部２３４が、軸線２４に沿って直線状に設けられている。
【００３１】
第二当接面２３３は、第二チューブ受け入れ凹部２３４によって、図４（ｂ）の紙面左右に分断されている。第二当接面２３３の左側領域においては、軸線方向上方側に係合凹部２３５が設けられ、軸線方向下方側に係合凸部２３６が設けられている。また、第二当接面２３３の右側領域においては、軸線方向上方側に係合凸部２３７が設けられ、軸線方向下方側に係合凹部２３８が設けられている。係合凹部２３５と係合凸部２３７、および、係合凸部２３６と係合凹部２３８は、互いに軸線２４に対して線対称となる位置に配置されている。
【００３２】
本実施形態に係るストッパ２１を挿入チューブ１４に取り付ける場合は、第一ストッパセグメント２２と第二ストッパセグメント２３とを、挿入チューブ１４の径方向外側から挟み込むように嵌合させる。そうすると、第一ストッパセグメント２２に設けられた係合凸部２２６が、第二ストッパセグメント２３に設けられた係合凹部２３８に嵌め入れられる。同様に、第一ストッパセグメント２２の係合凸部２２７が第二ストッパセグメント２３の係合凹部２３５に、第二ストッパセグメント２３の係合凸部２３６が第一ストッパセグメント２２の係合凹部２２８に、第二ストッパセグメント２３の係合凸部２３７が第一ストッパセグメント２２の係合凹部２２５に、それぞれ嵌め入れられる。そして、第一当接面２２３と第二当接面２３３とが当接する。
【００３３】
上記したように、係合凸部は、先端に向かって拡径する形状を有し、且つ、係合凹部は、内方に向けて拡径する空洞を内部に形成している。したがって、係合凸部が係合凹部に嵌め入れられると、係合凸部と係合凹部とが互いに係合することとなる。このようにして、第一ストッパセグメント２２と第二ストッパセグメント２３とを、互いに強固に連結することができる。
【００３４】
このように、本実施形態に係るストッパ２１は、独立した二つの部材である第一ストッパセグメント２２と、第二ストッパセグメント２３と、両者を互いに連結させる連結部とを有する。そして、この連結部が、上記係合凸部と係合凹部とによって構成されている。
【００３５】
本実施形態に係る浣腸容器１１は、このような構成を有するストッパ２１を備えることから、浣腸容器１１の製造において、より作業効率を向上させることができる。これについて、以下に説明する。
【００３６】
上記したように、従来の浣腸容器においては、ストッパが一体形状となっていたため、工程の初期段階においてストッパを挿入チューブに嵌め入れる必要があった。これにより、ストッパがその後の工程における作業の妨げとなったり、作業時に挿入チューブから脱落してしまうことに繋がっていた。
【００３７】
これに対して、本実施形態に係るストッパ２１は、上記構成を備えることから、ストッパ２１以外の構成部材を先に組み立て、その後にストッパ２１を挿入チューブ１４に取り付けることが可能となる。これにより、上記のようなストッパ２１に係る作業上の不便をなくすことができる。また、作業者は、ストッパ２１を組み立てる際、係合凸部を係合凹部に嵌め入れて嵌合させるだけで、ストッパ２１を容易に組み立てることができる。すなわち、本実施形態によれば、工程の最終段階にてストッパ２１を容易に組み立て可能であることから、工程をスムーズに進行させることが可能となる。これにより、浣腸容器１１の製造における作業効率を向上させることができる。
【００３８】
また、本実施形態によれば、ストッパ２１を挿入チューブ１４に取り付けた場合に、係合凸部と係合凹部とによって構成される連結部が、ストッパ２１に挟み込まれた挿入チューブ１４の両側方に設けられることとなる。すなわち、図４（ｂ）に示す第一ストッパセグメント２２を基準とすると、挟み込まれた挿入チューブ１４の左側側方には、係合凸部２２６と係合凹部２３８との係合による連結部と、係合凹部２２５と係合凸部２３７との係合による連結部とが、軸線方向に離隔して二つ形成される。同様に、挟み込まれた挿入チューブ１４の右側側方には、係合凸部２２７と係合凹部２３５との係合による連結部と、係合凹部２２８と係合凸部２３６との係合による連結部とが、軸線方向に離隔して二つ形成される。このように、第一ストッパセグメント２２と第二ストッパセグメント２３とは、挿入チューブ１４の左右両側方に配置された連結部を介して、互いに強固に連結される。これにより、挿入チューブ１４の挟み込み状態をより安定して維持することができるため、ストッパ２１を組み立てた場合に、ストッパ２１をより強固に構成することができる。
【００３９】
また、本実施形態によれば、第一ストッパセグメント２２と第二ストッパセグメント２３とが、互いに同一形状となるように構成されている。これにより、各ストッパセグメントを、一つの金型によって量産することができるため、浣腸容器１１の製造コストを低減することができる。
【００４０】
なお、本実施形態においては、上記効果を有することから、第一ストッパセグメントと第二ストッパセグメントとを同一形状とした場合について述べたが、本考案は、これに限定されるものではない。本考案の概念は、ストッパを複数の部材によって構成し、工程の最終段階において、挿入チューブの側方からストッパを取り付け可能とすることによって、浣腸容器の製造効率を向上させることにある。したがって、各ストッパセグメントを異なる形状としてもよいし、ストッパを二以上のストッパセグメントによって構成してもよい。
【００４１】
また、本実施形態においては、それぞれのストッパセグメントに、係合凸部および係合凹部が同数個ずつ設けられている場合について述べたが、これに限らず、一方のストッパセグメントには係合凸部のみが設けられ、他方には係合凹部のみが設けられる構成であってもよいし、その他如何なる組み合わせであってもよい。
【００４２】
また、本実施形態においては、第一ストッパセグメントと第二ストッパセグメントとを連結させる連結部を、係合凸部と係合凹部との係合により構成したが、これに限らず、第一ストッパセグメントと第二ストッパセグメントとを互いに連結可能であれば、如何なる手段を適用してもよい。
【００４３】
以上、図面を参照して本考案の実施の形態を説明したが、本考案は、図示した実施の形態のものに限定されない。図示した実施の形態に対して、本考案と同一の範囲内において、あるいは均等の範囲内において、種々の修正や変形を加えることが可能である。
【産業上の利用可能性】
【００４４】
本考案は、浣腸容器の製造における作業効率を向上可能な浣腸容器を提供するものであって、製薬業の分野において有利に利用される。
【符号の説明】
【００４５】
１１  浣腸容器、１２  本体容器、１２１  首部、１３  本体キャップ、１３１  チューブ連結部、１４  挿入チューブ、１５  注入ノズル、１６  逆流防止弁、
２１  ストッパ、２２，２３  ストッパセグメント、２２１，２３１  土台部、２２２，２３２  スカート部、２２３，２３３  当接面、２２４，２３４  チューブ受け入れ凹部、２２５，２２８，２３５，２３８  係合凹部、２２６，２２７，２３６，２３７  係合凸部、２４  線。
【図１】
0003167160.tif 000003
【図２】
0003167160.tif 000004
【図３】
0003167160.tif 000005
【図４】
0003167160.tif 000006